Podtech/llm-jp-corpus-v4-ja_patent huggingface dataset:
(57)【要約】      （修正有）【課題】暗唱詩文を効果的に学習するために、覚えたい詩文の２文字目以下を任意に隠すことのできるカード学習装置を提供する。【解決手段】暗唱したい詩文を、句読点などで区切り、行頭にキーワードが来るように記載し、折り曲げて詩文の２文字目以下を隠し、行頭をヒントにすることにより、以下のことばが自然と引き出しやすくなり、短時間で効果的に詩文を暗唱できるカードである。【選択図】図３
0003142697.tif 000002
【実用新案登録請求の範囲】
【請求項１】
詩文を効果的に暗唱するために、図１のように詩文を句読点などで区切り、行頭にキーワードが来るように記載した詩文と、詩文を記載した用紙を折り曲げることによって、詩文の２文字目以下の任意の箇所が隠れることを特徴としたカードの構造。
【考案の詳細な説明】
【技術分野】
【０００１】  一般家庭や教育現場で使われる、カード式暗唱学習教材の分野
【背景技術】
【０００２】  今日、暗唱の有用性が再認識されている。古今東西の有名詩文を暗唱することで、言語感覚が磨かれ、国語力を伸ばすのに有用であることが脳科学の分野からも認められてきたからである。有名詩文の記載された文集・ドリル・視写ノートなどの書籍、朗読ＣＤ付きテキスト、カードかるた、パソコン用暗唱ソフトなど、数々の暗唱学習教材が広く市販されている。有名詩文を短期間で効率よく暗唱するために、これまでさまざまな方法が考案されてきた。たとえば詩文を音読した回数を用紙に記録させる方法、朗読ＣＤを聞きながら音読する方法、詩文を視写した後、音読する方法などがそれである。しかし、いずれも個人の学習意欲に左右される面が多く、必ずしも効果的な暗唱教材とは言えなかった。
学校などの教育現場で詩文を暗唱させる場合、詩文を黒板や模造紙に書いたり、パソコンの画面を投影したりして音読させるのが覚えるのに有効とされている。縦書きの場合、詩文の下部を徐々に消したり隠したりしながら、上部の文字だけ残すかたちで音読をさせる。上部の文字がキーワードとなって、下部のことばが比較的容易に引き出されるという、記憶のメカニズムを活用した暗唱指導法である。しかしこの場合、予め詩文を黒板や模造紙に書いて用意したり、パソコンやプロジェクターなどの機材を準備したりと、必ずしも手軽にできる暗唱学習法とは言えなかった。また一斉指導のなかで行われるため、個人のペースで暗唱することが難しく、人前で声を出すことが苦手な児童生徒にとっても有用とは言えなかった。個人でパソコン画面を開き、暗唱する場合も、インターネットの接続環境が整っていることや、教育ソフトが装備されていることが条件となり、必ずしも簡便な暗唱学習とは言い難い面があった。
個人で詩文を覚える場合、詩文の行頭以下を、用紙とは別のシートなどを用いて覆いながら暗唱する学習法がある。しかしこの場合、詩文の用紙とシートが別々になったり、シートが紛失したりすることがあった。また記載された詩文は必ずしも行頭に語句の始まりが来るとは限らず、特に散文の場合、シートで隠す方法は暗唱をするうえで有用とは言えなかった。
【考案の開示】
【考案が解決しようとする課題】
【０００３】  暗唱詩文を効果的に学習するために、覚えたい詩文の２文字目以降を任意に隠すことのできるカード学習装置を提供する。
【課題を解決するための手段】
【０００４】  暗唱したい詩文を、図１のように、句読点などで区切り、行頭にキーワードが来るように記載し、図２、図３、図４のように、折り曲げて詩文の２文字目以下を隠し、行頭をヒントにすることにより、短時間で効果的に詩文を暗唱できるカードである。
【考案の効果】
【０００５】  上記のように本考案のカードは、暗唱したい詩文をカードを見ながら音読する際に、カードを折り曲げる位置をずらすことによって、詩文の２文字目以下の任意の箇所を隠しながら唱えることを可能とし、短時間で効果的に詩文を覚えるための暗唱学習教材として役立つ。
【考案を実施するための最良の形態】
【０００６】  暗唱詩文を、韻文ならば１行ごと、散文ならば図１のように句読点あるいは任意の文節ごとに行を改めカードに記載する。これにより、詩文の行の、１文字目あるいは行の前方の文字がキーワードとなって、以下のことばが自然と引き出しやすくなる。また難解な漢字には読みやすいよう、ふりがなをつける。印刷には、弾性や耐久性に優れた厚紙などを用いる。これにより、図２、図３、図４のようにカードの湾曲が容易にでき、詩文の２文字目以下を任意の位置まで隠す。必要に応じて見たり隠したりずらしたりして確認しながら暗唱することが可能になる。
【実施例】
【０００７】  一般家庭において、個人あるいは複数で、時と場所を選ばず、カードを用いて有名暗唱詩文を手軽かつ効果的に、暗唱する学習を実施する。【０００８】  教育現場において、カードを児童生徒に配布し、児童生徒同士で唱え聞き合うなどし、暗唱できたら合格証明印を押すなどして、意欲的な暗唱学習を実施する。
【産業上の利用可能性】
【０００９】  一般家庭あるいは教育現場において、有名暗唱詩文と、その作者および時代背景などの関連情報を意欲的かつ効果的に学習する教材としての利用が可能である。
【図面の簡単な説明】
【００１０】
【図１】  カードを示した平面図である。
【図２】  カードを湾曲させ、詩文の行末付近を隠した図である。
【図３】  カードを湾曲させ、詩文の行頭付近まで隠した図である。
【図４】  カードを湾曲させ、詩文の行頭１文字以外を隠した図である。
【符号の説明】
【００１１】  １  題名
２  作者
３  本文
４  作者の肖像画
５  学習効果を高めるための情報など
【図１】
0003142697.tif 000003
【図２】
0003142697.tif 000004
【図３】
0003142697.tif 000005
【図４】
0003142697.tif 000006
【手続補正書】
【提出日】平成20年3月16日(2008.3.16)
【手続補正１】
【補正対象書類名】図面
【補正対象項目名】図１
【補正方法】変更
【補正の内容】
【図１】
0003142697.tif 000007
【手続補正２】
【補正対象書類名】実用新案登録請求の範囲
【補正対象項目名】請求項１
【補正方法】変更
【補正の内容】
【請求項１】
詩文を効果的に暗唱するために、詩文を句読点などで区切り、行頭にキーワードが来るように記載した詩文と、詩文を記載した用紙を折り曲げることによって、詩文の２文字目以下の任意の箇所が隠れることを特徴としたカードの構造。
(57)【要約】      （修正有）【課題】スーパーのカートに取り付けることにより、カートを押しながらでも簡単に電卓を操作できることや、メモの確認ができることで予算の範囲で買い物ができ、メモ機能により買い忘れ防止や、安売り商品を記入しておけるカート用メモ機能付電卓を提供する。【解決手段】約、８センチ四方の折りたたみ形式のもので携帯電話のように上下に分かれているもので下の方は数字と文字で上の方には電卓の画面とメモの画面がそれぞれ出るようになっている。電卓の画面は小さく、メモの画面は大きくする。裏にはカートに上から、固定できるように折りたたみ式のフックをとりつける。【選択図】図１
0003142691.tif 000002
【実用新案登録請求の範囲】
【請求項１】
スーパーにあるカートの取っ手の部分の真ん中に約８センチ四方のメモの機能いた電卓を着脱可能なフックを裏につけて自分で装着するメモ機能付電卓。
【請求項２】
スーパーにあるカートの取っ手の部分の真ん中にカートを作っている会社にあらかじめ電卓を標準装備してもらう。できれば、バーコードで金額がすぐにでるようなシステムにしてほしいのですが、消費者へのサービスの一環としてできるのであればお願いします。
【考案の詳細な説明】
【技術分野】
【０００１】本考案はスーパーのカートに着脱可能なメモ機能付電卓に関するものである。
【背景技術】
【０００２】  スーパーで買い物をする際、電卓やメモ用紙をいちいち手に持って計算したり、バックから取り出して見たりしていた。
【考案の開示】
【考案が解決しようとする課題】
【０００３】  買い物をしながら、手に電卓を持って計算はしにくいしメモ用紙を片手に見ながらカートは押しにくいのでカートを押しながらスムーズに計算できたり、メモの確認ができるようにするものである。
【課題を解決するための手段】
【０００４】  カートの取っての真ん中の部分に自分で取り外し可能なメモ機能付電卓を装着する。
【考案の効果】
【０００５】  今までスーパーで買い物する際、暗算ではおおよその金額しか出せないので、レジを通ったら予想以上に金額がオーバーしていたり、お金が足りないというはずかしい思いをしたことが何回もあります。そして必要なものを買い忘れたりしたことも度々ありますのでスーパーのカート用メモ機能付電卓をとりつけることによって手をわずらわすことなく計算できたりメモの確認ができるものである。又メモ機能がついていることによって、スーパーで使わないときは携帯用日記帳やダイアリーとしての機能も兼ね備えるものである。
【考案を実施するための最良の形態】
【０００６】約、８センチ四方の折りたたみ形式のもので携帯電話のように上下に分かれているもので下の方は数字と文字で上の方には電卓の画面とメモの画面がそれぞれ出るようになっている。電卓の画面は小さく、メモの画面は大きくする。裏にはカートに上から、固定できるように」折りたたみ式のフックをとりつける。
【実施例】
【０００７】以下、添付図面に従って実施例を説明する。１は携帯電話等の素材に使われているもので折りたたみ式になっている。２は見やすいように大きい画面になっている。画面は、メモ画面と電卓画面が別々に出るようになっていて上の大きい画面がメモ画面で下の小さい画面が電卓画面である。３は電卓、メモ、日記、ダイアリー、とそれぞれのキーを押すと各機能の役割をはたすものである。４は表面でいろいろなカラフルな色をそろえるものとする。５は裏面でカートの取っての部分にとりつけられるようにフックを固定する。フックは折りたたみ式とする。カートからはずれないように固定されるものである。
【産業上の利用可能性】
【０００８】  スーパーのカートの取っての真ん中の部分は現在何もついておらず両手の間の部分だから買い物かごをのせてもカートを押すときも何のじゃまにもならないから８センチ四方ぐらいのものは簡単にとりつけられる。よって利用する時に何の問題もおこらないものとおもわれる。又、携帯電話のメールのように相手に対してのものではなく、自分に対してのものなので、通信費もかからないしパソコン世代ではない人にも簡単に操作できるものとおもわれる。特に高齢者はメモすることやダイアリーに記録しておくことや日記に書き込んでおくことにより物忘れ防止にもつながり、キーを打つことにより脳の活性化にも役立つものと考えられる。
【図面の簡単な説明】
【０００９】
【図１】本考案のメモ機能付電卓の本体を開いた状態の図である。
【図２】メモ機能付電卓の未使用で閉じた状態のときである。
【図３】メモ機能付電卓の裏でカートにとりつけられるフックがついた状態である
【符号の説明】
【００１０】    １  メモ機能付電卓本体
２  画面
３  いろいろな機能の表示
４  表面
５  裏面
【図１】
0003142691.tif 000003
【図２】
0003142691.tif 000004
【図３】
0003142691.tif 000005
【手続補正書】
【提出日】平成19年11月13日(2007.11.13)
【手続補正１】
【補正対象書類名】実用新案登録請求の範囲
【補正対象項目名】全文
【補正方法】変更
【補正の内容】
【実用新案登録請求の範囲】
【請求項１】
スーパーにある買い物カートの取っ手の部分の真ん中に約８センチ四方のボタン操作によって入力できるメモ機能付電卓を装着する。尚、メモ機能付電卓は本来単品である電卓に手帳の役割を組み合わせたもので別々に機能していたものを一つのものとしてまとめたものである。ボタン式入力方法なので従来の手帳に必要な筆記用具が不要なので、いつ、どこででも手軽に正確に入力でき確認できる利点があるものと思われる。又、メモ機能付電卓にはあらかじめカートの取っ手の部分に着脱可能な折りたたみ式フックを取り付けておき、買い物する時にはカートに自分で装着して入力済みのメモを見ながら又、電卓を使いながら買い物をし、終わったときにはカートから取り外すことができるものとする。又、電卓機能、ボタン操作によるメモ機能、日記機能、ダイアリー機能が付いていることにより、買い物の時に限らず、日常生活、社会生活において不可欠である電卓、手帳を、より便利に、より使いやすくしたものである。
【手続補正書】
【提出日】平成20年3月17日(2008.3.17)
【手続補正１】
【補正対象書類名】実用新案登録請求の範囲
【補正対象項目名】全文
【補正方法】変更
【補正の内容】
【実用新案登録請求の範囲】
【請求項１】
スーパーにある買い物カートの取っ手の部分の真ん中に、着脱できるフックのついた約８センチ四方のボタン操作によって入力できるメモ機能付電卓。
(57)【要約】      （修正有）【課題】底材の撓みの防止と食材の汁（ドリップ）が底部に溜まるのを防止できる食品包装用容器を提供する。【解決手段】底板２には、各辺に向かってほぼ１０ｍｍ間隔で平行に約１ｍｍ深さの条溝３が形成され、さらに、これらの条溝３は、底板の中心部から各コーナー部に向かう十字状の大条溝４に集合するように形成されている。そして、これらの条溝３，４は食材の重みで中心に向かって僅かに傾斜して、収納食材からのドリップは、これらの条溝を流れるようになっている。そして、それぞれ、大条溝４で、上記底板２の中心部と中心部から各コーナーまでの中間点の５箇所に、底板２と一体成形された円錐状の中空突起５１、５２、５３が形成されている。【選択図】図３
0003142628.tif 000002
【実用新案登録請求の範囲】
【請求項１】
発泡プラスチック、木材、または紙材からなる枠材と、この枠材の底辺より上方位置に薄いプラスチック製の底材を接合した食品包装用容器において、
底材の下面に複数の突起を設け、これを支えとして、底材の撓みを防止するようにした底撓み防止突起付食品包装用容器。
【請求項２】
前記底材の下面に設ける複数の突起は、一体成形により底材に設けた中空断面とした請求項１に記載の底撓み防止突起付食品包装用容器。
【請求項３】
前記底材の表面に、収納食材からの汁（ドリップ）が突起中空部に流れ落ちるように波形条溝を形成した請求項２に記載の底撓み防止突起付食品包装用容器。
【考案の詳細な説明】
【技術分野】
【０００１】
本願考案は、比較的重い加工食品を収納するのに適した食品包装用容器に関する。
【背景技術】
【０００２】
発泡プラスチック、木材、または紙材からなる枠材に薄いプラスチック製の底材を接合した構造を有し、通常、簡易容器とも称せられる食品包装用容器がある。
【０００３】
この簡易容器型の食品包装用容器は、各部材の改良、接合法の進歩、収納食品の水分の漏れ防止技術の発展などによって、水分を含んだ比較的重い重量の加工食品も収納され、２６０ｍｍ辺長さの重箱タイブの大型容器も出現するようになった。
【特許文献１】特許第３９２７３５６号公報
【考案の開示】
【考案が解決しようとする課題】
【０００４】
このような容器は、収納加工食品の形状と品質を維持するために、底面は枠材の下面位置より高い位置に取り付けられた、いわゆる「上げ底」に形成されている。  そして、底材は比較的薄いプラスチック材から形成されているために、食品収納時に、底板の中央部が下方に撓む。
【０００５】
そのため、容器の破損や底抜けが発生しやすくなり、また、収納した加工食品からのドリップが撓んだ底板の底部に溜まる状態になり、これが、収納加工食品を汚染して、品質の低下を招く。
【０００６】
本願考案において解決しようとする課題は、底材の撓みの防止と食材の汁、すなわち、ドリップが底部に溜まるのを防止できる食品包装用容器を提供することにある。
【課題を解決するための手段】
【０００７】
本考案は、枠材の底辺より上方位置に薄いプラスチック製の底材を接合した食品包装用容器において、底材の下面に複数の突起（足）を設け、これによって底材のたわみを防止するものである。
【０００８】
この底材の下面に設ける複数の突起は、その形状を問わず、また、その底板への一体成形、あるいは、別途作成した突起を接合によって取り付ける等、任意の手段によって設けることができる。  とくに、底材を形成する薄いプラスチックが加工性に優れていることから、一体成形により、中空の三角錐状とすることもできる。この中空の突起とすることによって、収納食材から出たドリップが中空内に流れ込むようにすることによって、底部に溜まるのを防止するようにもできる。
【０００９】
さらに、複数の中の中央付近に設けた突起の先端を、枠材底辺より約3ｍｍ程度上方に位置することによって、底材の中央部が収納食材の重みで、下方に僅かに撓み、これによって、底が中心に傾斜することにより、底材の周辺での汁（ドリップ）の溜まりはなくなる。
【００１０】
また、底板としては、その強化とドリップの中空突起への流入を助けるために、その表面を波状に形成することもできる。
【００１１】
このような構成を有する本願考案は、枠材の形状に関係なく、また、底板の仕切の有無に関係なく如何なる簡易容器にも適用実施できる。
【考案の効果】
【００１２】
本願考案により、底材の撓みを防止でき、底材の撓み容器の破損や底抜けを防止できる。
【００１３】
汁（ドリップ）が流れ込み、底部にたまるのを防止することにより、収納の食材の味が変わったり、汁にひたって食感が変わるのを防止できる。
【考案を実施するための最良の形態】
【００１４】
本願考案を角形重箱に適用した各図に示す実施例によって実施形態を説明する。
【実施例】
【００１５】
図１は、本願考案の実施例に係る簡易容器型の重箱１０を上面から見た図であり、図２は、図１に示す重箱を底面から見た斜視図であり、また、図３は、図１のＡ−Ａ線からの断面を示す図である。
【００１６】
これらの図に示す重箱１０は、５ｍｍ厚程度の発泡プラスチックからなる一辺が２００ｍｍ程度の４角形の枠材１の下面から１０ｍｍ程度の高さに０．５ｍｍ程度の厚みのプラスチック製の底板２を取り付けたものである。
【００１７】
この底板２には、図１，２とともに、図３を参照して、各辺に向かってほぼ１０ｍｍ間隔で平行に約１ｍｍ深さの条溝３が形成され、さらに、これらの条溝３は、底板の中心部から各コーナー部に向かう十字状の大条溝４に集合するように形成されている。  そして、これらの条溝３，４は食材の重みで中心に向かって僅かに傾斜し、収納食材からのドリップは、これらの条溝を流れるようになっている。
【００１８】
５１、５２、５３，５４，５５は、それぞれ、大条溝４で、上記底板２の中心部と中心部から各コーナーまでの中間点の５箇所に、底板２と一体成形された円錐状の中空突起を示す。
【００１９】
図３に示すように、中空突起の中の少なくとも中心の突起５１は、容器１０の枠材１の底辺から３ｍｍ程度の間隔を空けて形成されており、収納食材の重みが底板に掛かったとき、撓んだ底板２は、この中心部の突起５１によって傾斜状態で支持され、食材からのドリップは条溝を流れ落ちて、それぞれの突起の中空部に落下し、その中空部の底に、溜まる。
【産業上の利用可能性】
【００２０】
上記実施例においては、四角形の重箱状容器について説明したが、係る重箱状に限らず、円形、長四角形、その他の異形容器にも適用できる。
【００２１】
また、支持突起として、円錐状の中空突起を例に挙げて説明したが、撓み防止用の突起としては、円錐状突起に限らず、底板を支持し撓みを防止する機能を有するものであれば、如何様な形態のものであってもよい。
【図面の簡単な説明】
【００２２】
【図１】本願考案の実施例に係る簡易容器型の重箱１０を上面から見た図である。
【図２】図１に示す重箱を底面から見た斜視図である。
【図３】図１のＡ−Ａ線から見た断面図である。
【符号の説明】
【００２３】
１０  重箱        
１  枠材      ２  底板      ３，４    条溝
５１、５２、５３，５４，５５  中空突起
【図１】
0003142628.tif 000003
【図２】
0003142628.tif 000004
【図３】
0003142628.tif 000005
(57)【要約】      （修正有）【課題】高級感が得られ、しかもガラス部分の形状を多様化できるとともに、経年劣化を防止できるクリスタルバッジを提供する。【解決手段】上面１１ａに装飾が施されるとともに、下面１１ｂに取付部材１３を有する金属材製のベース１１と、ベース１１の上面１１ａにＵＶ接着剤により接合された透明のガラス部材１２とを備えている。【選択図】図１
0003142622.tif 000002
【実用新案登録請求の範囲】
【請求項１】
上面に装飾が施されるとともに、下面に取付部材を有する金属材製のベースと、
このベースの前記上面に透明接着剤により接合された透明のガラス部材とを備えていることを特徴とするクリスタルバッジ。
【請求項２】
前記上面は、平坦状に処理されていることを特徴とする請求項１に記載のクリスタルバッジ。
【請求項３】
前記接着剤は、ＵＶ接着剤であることを特徴とする請求項１に記載のクリスタルバッジ。
【考案の詳細な説明】
【技術分野】
【０００１】
本考案は、服に取り付けるクリスタルバッジに関し、特に装飾性が高く、かつ、耐久性を有するものに関する。
【背景技術】
【０００２】
従来の表面を透明な素材でコーティングしたバッジは、金属材料等からなる円板状のベースの上面にはプレス加工、印刷あるいは貼り合せ等によって装飾面を施した装飾板が設けられ、装飾面には、エポキシ系の樹脂でコーティングすることで立体感を出したものがあった。
【０００３】
なお、ベースの下面における中央部にはピン等の取付器具が溶接等によって固定され、服等に容易に着脱できるように構成されている。
【考案の開示】
【考案が解決しようとする課題】
【０００４】
上述したエポキシ系の樹脂でコーティングされたバッジでは、次のような問題があった。すなわち、エポキシ系樹脂は柔らかいため傷が付きやすく、磨耗しやすかった。また、経年劣化により黄色に変色するとともに、透明感が損なわれ、高級感を失っていた。また、形状がドーム状のうす山型に限られるという問題があった。
【０００５】
そこで本考案は、ガラスを使用し、ガラスの一部分の形状を多様化するとともに、高級感が得られるように加工し、経年劣化を防止できるクリスタルバッジを提供することを目的としている。
【課題を解決するための手段】
【０００６】
前記課題を解決し目的を達成するために、本考案のクリスタルバッジは次のように構成されている。
【０００７】
上面に装飾が施されるとともに、下面に取付部材を有する金属材製のベースと、このベースの前記上面に透明接着剤により接合された透明のガラス部材とを備えていることを特徴とする。
【考案の効果】
【０００８】
本考案によれば、ガラスを使用し、ガラスの一部分の形状を多様化するとともに、高級感が得られるように加工し、経年劣化を防止することが可能となる。
【考案を実施するための最良の形態】
【０００９】
図１は本考案の一実施の形態に係るクリスタルバッジ１０を示す斜視図である。
【００１０】
クリスタルバッジ１０は、金属材製のベース１１と、このベース１１の上面１１ａに透明接着剤により接合された透明のガラス部材１２と、ベース１１の下面１１ｂに取り付けられた取付部材１３とを備えている。
【００１１】
ベース１１の上面１１ａは、印刷やレーザの加工等で文字や絵柄による装飾Ｐが施されている。ベース１１の上面１１ａは平坦状に処理されるとともに、ガラス部材１２との接着強度を高めるために特殊加工を施している。なお、透明接着剤は、透明のＵＶ接着剤を用いている。さらに、ガラス部材１２は、カットや研磨により様々な表面加工を施されている。
【００１２】
このように構成されたクリスタルバッジ１０は、ガラス部材１２の透明度が高いため、高級感が得られ、しかもガラス材であることから研磨やカットにより様々な形状が得られる。また、ガラス部材１２は樹脂材に比べ経年変化による変色がほとんどなく、耐久性が得られる。
【００１３】
なお、クリスタルバッジ１０は、ベース１１の外形及びガラス部材１２の形状を工夫することで、量産化に適した形状にすることができる。また、金属製治具を用いることで、量産を可能にすることができる。
【００１４】
図２は、クリスタルバッジ１０の変形例に係るクリスタルバッジ２０を示す斜視図である。図２において、図１と同一機能部分には同一符号を付し、その詳細な説明は省略する。
【００１５】
クリスタルバッジ２０は、ベース１１と、このベース１１の上面１１ａに透明接着剤により接合されたガラス部材２１と、ベース１１の下面１１ｂに取り付けられた取付部材１３とを備えている。
【００１６】
ガラス部材２１は、ガラスという固形素材を加工するため、厚く形成することができ、高級感が得られ、所望のデザインを得ることが容易となる。したがって、クリスタルバッジ２０は上述したクリスタルバッジ１０と同様の効果を得ることができる。
【００１７】
なお、本考案は前記実施の形態に限定されるものではない。例えば、上述した例では、ベースの形状を正方形及び楕円としたが、長方形、多角形、円形等、その形状は限定されるものではない。この他、本考案の要旨を逸脱しない範囲で種々変形実施可能であるのは勿論である。
【図面の簡単な説明】
【００１８】
【図１】本考案の一実施の形態に係るクリスタルバッジを示す斜視図。
【図２】同クリスタルバッジの変形例を示す斜視図。
【符号の説明】
【００１９】
１０，２０…クリスタルバッジ、１１…ベース、１２，２１…ガラス部材、１３…取付部材。
【図１】
0003142622.tif 000003
【図２】
0003142622.tif 000004
(57)【要約】      （修正有）【課題】歩行の補助用に使用するだけでなく、景色等を拡大して観望する望遠鏡として使用することができるステッキを提供する。【解決手段】シャフト部とグリップ部３０を有するステッキであって、グリップ部３０内に対物レンズ４１と接眼レンズ５１で構成される望遠鏡を形成した。なお、嵌合凹部内に雌ネジを形成し、取付軸部３０ａに雄ネジを形成することにより、グリップ部３０をシャフト部にねじ込んで連結する構造とすることも可能である。この場合、必要に応じてグリップ部３０をシャフト部から取り外すことができる。【選択図】図３
0003142644.tif 000002
【実用新案登録請求の範囲】
【請求項１】
シャフト部とグリップ部を有するステッキにおいて、
前記グリップ部内に対物レンズと接眼レンズで構成される望遠鏡を形成したことを特徴とするステッキ。
【請求項２】
前記グリップ部を筒状に形成し、一端側に前記対物レンズを装着した対物部を形成し、他端側に前記接眼レンズを装着した接眼部を形成したことを特徴とする請求項１に記載のステッキ。
【考案の詳細な説明】
【技術分野】
【０００１】
本考案は、ハイキングや散歩等に際して歩行の補助用に使用するステッキに関する。
【背景技術】
【０００２】
従来のウォーキング等で歩行の補助用に使用するステッキは、先端に石突を有するシャフト部と、他端にハンドル部を有する構造が一般的であり、様々な構造のものが提案されている。
【０００３】
例えば、シャフト部を途中から切り離すことができる構造とし、使用しない場合の携帯性を高めたものや、ハンドル部を取り外し可能としたものなど様々な構造のものが提案されている。
【０００４】
このようなステッキとしては、例えば、特許文献１に開示されるものが存在する。この特許文献１に記載のステッキは、シャフト部にグリップ以外に腕支持部材を着脱可能に取り付けることにより、より安定した歩行を可能にしている。
【特許文献１】特開２００７−１４６１３号公報
【考案の開示】
【考案が解決しようとする課題】
【０００５】
上述したように従来のステッキにおいては、携帯性を向上させるための工夫や、特許文献１に記載のステッキのように使用上の安定性を高めるための工夫が施されているが、ステッキそのものを他の用途、例えば望遠鏡として使用できるものは提案されていなかった。
【０００６】
（目的）
本考案の目的は、歩行の補助用に使用するだけでなく、景色等を拡大して観望する望遠鏡として使用することができるステッキを提供することにある。
【課題を解決するための手段】
【０００７】
上記目的を達成する本考案によるステッキは、シャフト部とグリップ部を有するステッキにおいて、グリップ部内に対物レンズと接眼レンズで構成される望遠鏡を形成した。
【考案の効果】
【０００８】
本考案によれば、歩行の補助用に使用するだけでなく、景色等を拡大して観望する望遠鏡として使用することができる。
【考案を実施するための最良の形態】
【０００９】
以下、本考案の実施の形態について図面を参照して詳細に説明する。
【００１０】
図１を参照すると、本実施の形態によるステッキ１０は、シャフト部２０と、ハンドル部３０で構成されている。なお、図１においてはシャフト部２０の一部を省略して示している。
【００１１】
シャフト部２０は、歩行の補助に有用な長さの長尺状に形成されており、先端に石突２０ａを有している。また、図２に示すように、その上端部にはグリップ部３０を取り付けるための嵌合凹部２０ｂが設けられている。なお、このシャフト部２０については、長尺の一本型の構造以外に、折り畳み式や伸縮式の構造であってもよい。
【００１２】
グリップ部３０の略中央部分には、シャフト部２０の嵌合凹部２０ｂに嵌まる取付軸部３０ａが一体に設けられている。グリップ部３０の取付軸部３０ａをシャフト部２０の嵌合凹部２０ｂに嵌め合わせて固定することにより、シャフト部２０の上端にグリップ部３０が安定して取り付けられる。
【００１３】
なお、嵌合凹部２０ｂ内に雌ネジを形成し、取付軸部３０ａに雄ネジを形成することにより、グリップ部３０をシャフト部２０にねじ込んで連結する構造とすることも可能である。この場合、必要に応じてグリップ部３０をシャフト部２０から取り外すことができる。
【００１４】
本実施の形態においては、グリップ部３０は、図示のように、一端側が太く、他端に向かって徐々に細くなる筒状に形成されており、図３に示すように、径の太い側を対物部４０、径の細い側を接眼部５０とした望遠鏡（単眼鏡）が形成されている。
【００１５】
対物部４０には、凸レンズからなる対物レンズ４０が装着され、接眼部５０には、凹レンズからなる接眼レンズ５０が装着されている。これにより、グリップ部３０そのものが所定倍率の単眼鏡として機能している。
【００１６】
上記のような構造により、接眼部４０の見口部５２から覗くことにより、ハイキング中や散策中に、遠景などを拡大して観望することができる。
【００１７】
また、グリップ部３０を取り外し可能とするば、ステッキ１０を使用しない場合にグリップ部３０をシャフト部２０から取り外して単体で望遠鏡として使用することもできる。
【００１８】
（本実施の形態による効果）
本実施の形態によれば、ステッキ１０のグリップ部２０に望遠鏡を形成したので、ハイキング中や散策中に、手軽に遠景や野鳥、草花を拡大して観望することが可能となる。
【００１９】
また、ハイキングで野山を散策する場合には、ステッキ以外に遠景や野鳥、草花を拡大して観望するために望遠鏡を携帯することが多いが、ステッキに望遠鏡として機能を組み込めば、観望用に望遠鏡を携帯する必要がなくなる。
【００２０】
なお、本考案は上述した実施の形態に限定されるものではなく、その技術思想の範囲内において様々に変形して実施することができる。
【００２１】
上記実施の形態においては、グリップ部３０に凸レンズの対物レンズ４１と凹レンズの接眼レンズ５１を用いたガリレオ式の望遠鏡を形成した例を示したが、接眼部５０側に正立レンズを含む複数枚の凸レンズを装着してケプラー式の望遠鏡を形成してもよい。
【図面の簡単な説明】
【００２２】
【図１】本考案の好適な実施の形態によるステッキの外観を示す図である。
【図２】本考案の好適な実施の形態によるステッキとシャフト部とグリップ部の取り付け部分の構造を示す図である。
【図３】本考案の好適な実施の形態によるステッキのグリップ部の内部構造を示す断面図である。
【符号の説明】
【００２３】
１０：ステッキ
２０：シャフト部
３０：グリップ部
４０：対物部
５１：対物レンズ
５０：接眼部
５１：接眼レンズ
５２：見口部
【図１】
0003142644.tif 000003
【図２】
0003142644.tif 000004
【図３】
0003142644.tif 000005
(57)【要約】      （修正有）【課題】情報を伝達すべき者の注意を惹きやすい様に特に配慮された自立式メモ用紙を提供する。【解決手段】一対の対向したカーブカット部と、その側方に設けられた一対の対向した平行側辺部とによって囲まれた略小判状平面形状をなし、中央を横断する様に折り溝が形成されていると共に、前記折り溝の中間部分に両端が接する様に舌片状の切り込みが形成されており、表面側には宛名記入スペース、裏面側には情報記入スペースがそれぞれ設けられている紙片により自立式メモ用紙を構成した。【選択図】図３
0003142648.tif 000002
【実用新案登録請求の範囲】
【請求項１】
一対の対向したカーブカット部と、その側方に設けられた一対の対向した平行側辺部とによって囲まれた略小判状平面形状をなし、中央を横断する様に折り溝が形成されていると共に、前記折り溝の中間部分に両端が接する様に舌片状の切り込みが形成されており、表面側には宛名記入スペース、裏面側には情報記入スペースがそれぞれ設けられていることを特徴とする自立式メモ用紙。
【考案の詳細な説明】
【技術分野】
【０００１】
この考案はメモ用紙、詳しくは、情報を伝達すべき者の注意を惹きやすい様に特に配慮された自立式メモ用紙に関するものである。
【背景技術】
【０００２】
日常のオフィスワークや一般家庭における情報伝達には、簡単なメモ形式のものが多く利用されている。伝言メモによる情報伝達はそれ自体極めて簡単なものであるが、伝達の仕方によっては重要な役割を担わせることが可能である。このメモによる情報伝達は、伝えるべき相手はその場に不在である、ということが前提であるので、先ず相手方がメモの存在に気付いてくれること、及びメモの存在に興味を持ってくれることが何より必要である。
【特許文献１】実用新案登録第３１３５９０７号公報
【特許文献２】実用新案登録第３１３２２０６号公報
【特許文献３】特開２００７−９５４４７号公報
【非特許文献１】なし
【考案の開示】
【考案が解決しようとする課題】
【０００３】
つまり、メモによる情報伝達においては、注意喚起が決定的に重要であり、メッセージを受け取る側が興味を持たねば、自発的にメモを読むことはあり得ないので、メモによる情報伝達は成立しなくなってしまう。従って、従来においても、メッセージを受け取る側に注意を喚起させる様、情報の媒体であるメモ用紙に様々な工夫を凝らす試みはなされていたが、メモ用紙は使い捨てであり、低コストで提供出来ると共に、簡便に使用出来ることが必要であるので、構造的に工夫を凝らせる余地は少なく、これといって満足すべきものは見当たらなかった。本考案者はメモによる情報伝達に関し、上記従来の問題点を解決し、メッセージを受け取る側の注意を喚起し、興味と好感を持って情報を受け取ってもらえる様にすべく鋭意研究を行った結果、心を和ませつつ視覚的に注意を喚起することが出来るユニークなメモ用紙を開発することに成功し、本考案としてここに提案するものである。
【課題を解決するための手段】
【０００４】
一対の対向したカーブカット部と、その側方に設けられた一対の対向した平行側辺部とによって囲まれた略小判状平面形状をなし、中央を横断する様に折り溝が形成されていると共に、前記折り溝の中間部分に両端が接する様に舌片状の切り込みが形成されており、表面側には宛名記入スペース、裏面側には情報記入スペースがそれぞれ設けられている紙片によって自立式メモ用紙を構成することにより、上記課題を解決した。
【実施例】
【０００５】
図１はこの考案に係る自立式メモ用紙の一実施例の斜視図、図２はその裏面側から見た斜視図、図３はその使用状態の斜視図である。図中１は自立式メモ用紙の本体であり、一対の対向したカーブカット部２、２とその側方に設けられた一対の対向した平行側辺部３、３とによって囲まれた略小判状平面形状をなしており、中央を横断する様に折り溝４が形成されていると共に、本体１の中央には、前記折り溝４に両端５が接する様に小さな舌片状の切り込み６が形成されており、折り溝４に沿って本体１を山折りした場合、この舌片状の切り込み６が本体１から突出して摘める様になっている。
【０００６】
そして、この本体１の表面側には宛名記入スペース７、裏面側には情報記入スペース８が設けられている。又、この自立式メモ用紙を企業の販売促進用の無料提供品として用いる場合には、表面側に企業名やロゴマーク、商品名など顧客に告知したい情報を表示しても良い。そして、この本体１は多数が重畳され、平行側辺部３の一部に天糊９が付されて冊子状に綴られており、必要に応じて一枚ずつ分離できる様になっている。
【０００７】
この実施例は上記の通りの構成を有するものであり、この自立式メモ用紙を用いてメッセージを伝え様とするときは、天糊９によって冊子状に連綴されている自立式メモ用紙の本体１のうち、その一枚を剥がして、その表面側の宛名記入スペース７に相手方の名前やニックネーム等を、裏面側の情報スペース８にメッセージの内容をそれぞれ記入する。そして、中央の折り溝４から挟角が６０°位になる様に本体１を山折りにして自立出来る様にし、山折りにした際に本体１から突出した舌片状の切り込み６を摘んで机上などに載置して、メッセージ伝達の用に供する。この際、机上にはカーブカット部２で接触することになるので、自立させた際に点接触状態となり、安定を欠き、ゆらゆらと揺動することになる。なお、本体１を山折りする際の挟角を変えたり、折り返した箇所にクリップなど錘りを取り付るなどすれば、自立状態における揺れに変化を出すことも可能である。
【０００８】
この様に、この考案に係る自立式メモ用紙は、メッセージを伝達する為に机上に置いた場合、立体的であり、しかもゆらゆらと揺動するので、その立体的形状及びゆらゆらと揺れるかわいらしい挙動によって相手方の注意を視覚的に喚起し、しかもその注意喚起は心を和ませる“ゆらぎ”の現象に属するものなので、相手方に不快な感じを起こさせることなく、好印象を持たせつつ、このメモ用紙を取り上げさせ、その裏面に書かれているメッセージを確実に伝えることが出来る。又、伝達すべきメッセージは、裏面側に書かれているので、山折りされた本体を開いてみなければ、外部からは見えないので、情報の不用意な漏洩を防ぐことが出来、情報管理の面からも有効である。更に、これに触れればゆらゆらとかわいらしく揺動するので、遊び心を刺激し、机上のちょっとしたアクセントともなる。しかも、構造も簡単で、製造コストも低く、営業活動における販売促進用の“おまけ”所謂ノベルティグッズとしても最適で、表面側に企業名、ロゴマーク、商品名など顧客に告知したい情報を表示すれば、十分な告知効果を挙げることも可能となり、営業活動のツールとしても大きな価値を有する。
【図面の簡単な説明】
【０００９】
【図１】この考案に係る自立式メモ用紙の一実施例の斜視図。
【図２】同じく、その裏面側から見た斜視図。
【図３】同じく、その使用状態の斜視図。
【符号の説明】
【００１０】
１    本体
２    カーブカット部
３    平行側辺部
４    折り溝
５    両端
６    円弧状切り込み
７    宛名記入スペース
８    情報記入スペース
９    天糊
【図１】
0003142648.tif 000003
【図２】
0003142648.tif 000004
【図３】
0003142648.tif 000005
(57)【要約】【課題】自動車等の板金作業、木工作業、建築作業、ステンレススチール板のみがき作業等において、研磨材を手指で把持することなく被研磨物に当てて擦ることができるようにした手袋を提供する。【解決手段】掌側５に研磨材３を固着させたことを特徴とする手袋。甲側に研磨材３を固着させたことを特徴とする手袋。研磨材３は、手袋１における全面に固着させてもよいが、手袋１における一部に固着させてもよい。研磨材３を手袋１に固着させる際には、研磨材３を手袋１に逢着ないし接着してもよいが、研磨材３を面ファスナーを介して手袋１に取り付けてもよい。【選択図】図１
0003142650.tif 000002
【実用新案登録請求の範囲】
【請求項１】
掌側に研磨材を固着させたことを特徴とする手袋。
【請求項２】
甲側に研磨材を固着させたことを特徴とする手袋。
【考案の詳細な説明】
【技術分野】
【０００１】
本考案は、手袋に関するものであり、特に表面に研磨材を固着してなる手袋に係るものである。
【背景技術】
【０００２】
自動車等の板金作業、木工作業、建築作業、ステンレススチール板のみがき作業等においては、研磨材が使用されているが、作業者は手を保護するために一般に手袋を着用した状態で研磨材を使用している。
【０００３】
一方、例えば実用新案登録第３１３２１６９号公報に示すように、表面に合成樹脂の滑り止め突起を散点状に形成した手袋が既に知られている。
【特許文献１】実用新案登録第３１３２１６９号公報
【考案の開示】
【考案が解決しようとする課題】
【０００４】
自動車等の板金作業、木工作業、建築作業、ステンレススチール板のみがき作業等において、手袋を着用した状態で研磨材を使用する場合には、研磨材を手指で把持しつつ該研磨材を被研磨物に当てて擦らなければならないため、手指に大きな負担がかかり、手指が疲れやすいという問題がある。また、被研磨物に力を均一に、かつ、十分に及ぼすことが困難なこともある。
【０００５】
本考案は、このような問題を解決し、自動車等の板金作業、木工作業、建築作業、ステンレススチール板のみがき作業等において、研磨材を手指で把持することなく被研磨物に当てて擦ることができるようにした手袋を提供しようとしてなされたものである。
【課題を解決するための手段】
【０００６】
上記課題を解決するために、本考案は下記の手袋を提供する。
【０００７】
（１）掌側に研磨材を固着させたことを特徴とする手袋（請求項１）。
【０００８】
（２）甲側に研磨材を固着させたことを特徴とする手袋（請求項２）。
【考案の効果】
【０００９】
［請求項１の考案］
請求項１の考案による手袋は、掌側に研磨材を固着させているため、該手袋を着用して自動車等の板金作業、木工作業、建築作業、ステンレススチール板のみがき作業等を行う際には、作業者は手指で研磨材を把持する必要がない。したがって、作業者は単に手袋における掌側を被研磨物に当てて擦るだけで足り、手指の疲れが防止されるのみならず、被研磨物に力を均一に、かつ、十分に及ぼすことができる。
【００１０】
［請求項２の考案］
請求項２の考案による手袋は、甲側に研磨材を固着させているため、甲側の研磨材を用いて作業を行うこともできる。
【考案を実施するための最良の形態】
【００１１】
符号１に示すものは手袋である。
【００１２】
手袋１は、編成してなるもの、布により縫成してなるもの、皮革により縫成してなるもの等、如何なるものであってもよい。
【００１３】
手袋１の表面に研磨材３を固着させる。
【００１４】
研磨材３としては、例えば、研磨粒を布に固着してなるものを用いる。
【００１５】
研磨材３は、図１に示すように、手袋１における全面に固着させてもよいが、図２〜図４に示すように、手袋１における一部に固着させてもよい。
【００１６】
図２は右手用の手袋１における掌側５を示すが、この事例においては、研磨材３は手袋１の掌側５における掌部５ａと各指部５ｂとにそれぞれ各別に固着させている。
【００１７】
図３は右手用の手袋１における掌側５を示すが、この事例においては、研磨材３は手袋１の掌側５における各指部５ｂにそれぞれ各別に固着させている。なお、研磨材３は、手袋１の掌側５における掌部５ａのみに固着させても差し支えない。
【００１８】
図４は右手用の手袋１における甲側７を示すが、この事例においては、研磨材３は手袋１の甲側７における甲部７ａと各指部７ｂとにそれぞれ各別に固着させている。なお、手袋１の甲側７についても、甲部７ａのみ又は各指部７ｂのみに研磨材３を固着させても差し支えない。
【００１９】
研磨材３は、手袋１における掌側５と甲側７との両方に固着させても差し支えない。
【００２０】
研磨材３を手袋１に固着させる際には、研磨材３を手袋１に逢着ないし接着してもよいが、研磨材３を面ファスナー（図示せず。）を介して手袋１に取り付けてもよい。
【００２１】
なお、右手用の手袋１と左手用の手袋１との両方に研磨材３を固着しても差し支えない。
【００２２】
また、手袋１は、軍手の如く、左右兼用であってもよいことはいうまでもない。
【図面の簡単な説明】
【００２３】
【図１】本考案による手袋の一例を示す平面図である。
【図２】同上手袋の別の一例を示す平面図である。
【図３】同上手袋の更に別の一例を示す平面図である。
【図４】同上手袋の更に別の一例を示す平面図である。
【図５】手袋に研磨材を固着した状態を示す断面図である。
【符号の説明】
【００２４】
１  手袋
３  研磨材
５  掌側
５ａ  掌部
５ｂ  指部
７  甲側
７ａ  甲部
７ｂ  指部
【図１】
0003142650.tif 000003
【図２】
0003142650.tif 000004
【図３】
0003142650.tif 000005
【図４】
0003142650.tif 000006
【図５】
0003142650.tif 000007
(57)【要約】      （修正有）【課題】従来のコンドームにおいて工夫をこらした、新しいタイプの使い捨てコンドーム改良品を提供する。【解決手段】使い捨てコンドーム１にイボと毛２がついていることを特徴とする男性用の生理用品コンドームである。【選択図】図１
0003142689.tif 000002
【実用新案登録請求の範囲】
【請求項１】
0003142689.tif 000003
がなかった。よって女性は性行為のとき快楽を得られなかったため、使い捨てコンドームにイボや毛がついており  性行為時に使う生理用品の新しいタイプで、イボと毛により快楽を与え、少子化の対策となり  より子供ができる生理用品のコンドーム。
【考案の詳細な説明】
【技術分野】
【０００１】（公序良俗違反につき、不掲載）
【背景技術】
【０００２】  従来のコンドームとしては  使い捨てでなければあったが  使い捨てではイボや毛のものはなく、不便であった
【考案が解決しようとする課題】
【０００３】（公序良俗違反につき、不掲載）
【考案が解決しようとする手段】
【０００４】使い捨てコンドームにイボと毛がついており  性行為にペニスにかぶせて使う
【考案の効果】
【０００５】コンドームをペニスに装着し女性の陰部にあてて  性行為の準備し、性行為をして避妊し妊娠を防ぐ男性用生理用品である
【考案の実施するための最良の形態】
【０００６】コンドームをペニスに装着し女性の陰部にあてて  性行為の準備し、性行為をして避妊し妊娠を防ぐ形態の男性用生理用品である
【実施例】
【０００７】使い捨てコンドーム（１）にイボと毛（２）がついており  性行為で生理する。
性行為のわずらわしさや便さを解消し  持ち運びや携帯に便利という効果がある。
【図面の簡単な説明】
【０００８】
【図１】本考案のコンドームの一実施例を示す立体図である
【符号の説明】
【０００９】（１）は、使い捨てコンドーム
（２）は、イボや毛
【図１】
0003142689.tif 000004
【手続補正書】
【提出日】平成19年6月22日(2007.6.22)
【手続補正１】
【補正対象書類名】実用新案登録請求の範囲
【補正対象項目名】全文
【補正方法】変更
【補正の内容】
【実用新案登録請求の範囲】
【請求項１】
（公序良俗違反につき、不掲載）
【手続補正書】
【提出日】平成19年8月23日(2007.8.23)
【手続補正１】
【補正対象書類名】実用新案登録請求の範囲
【補正対象項目名】全文
【補正方法】変更
【補正の内容】
【実用新案登録請求の範囲】
【請求項１】
使い捨てコンドームにイボや毛がついており、性行為時に使う生理用品でイボと毛がついているより子供ができる男性用の生理用品コンドームである。
(57)【要約】      （修正有）【課題】容器を少なくして場所をとらない。また容器内に仕切りをつけて別々のものを入れて使用する二口付き容器を提供する。【解決手段】外形をハート型にすることによって、外観もよく親しみやすくなり、このハート型１の二つの頂部に注ぎ口２を設けることとした。そしてハート型では安定に欠けるため下部に台座３を設けて安定を図ることとする。また、このハート型容器１には内部に仕切り壁を設けて、別々の内容物を封入することも可能にすることによって利用の範囲は広くなる。【選択図】図１
0003142608.tif 000002
【実用新案登録請求の範囲】
【請求項１】
外形ハート型の容器（１）で、該ハート型の頂部に２つの注ぎ口（２），（２）を設け、下部に台座（３）を設けたことを特徴とした二口付き容器。
【請求項２】
外形ハート型の容器（１）で、内部中央に仕切り（４）を設け、ハート型頂部に２つの注ぎ口（２）を設け、下部に台座（３）を設けたことを特徴とした請求項１に記載の二口付き容器。
【考案の詳細な説明】
【技術分野】
【０００１】
本考案は、注ぎ口が２つある二口付き容器に関する。
【背景技術】
【０００２】
２本がセットになっている容器はよく見かける。例えば洗髪用の洗剤とリンスなど、この場合洗剤を使って髪を洗い、目を閉じたまま手探りでリンス容器を探すことなどもどかしいことがある。また数多くのコップにワインを注ぐ場合なども面倒に思えることがある。
【特許文献１】特開平１１−１８０４９４号公報
【考案の開示】
【考案が解決しようとする課題】
【０００３】
本考案は、一本の容器に注ぎ口を二つ設けて、同時に二つの注ぎ口を使用するか、或は別々に使用できるようにして、容器を少なくして場所をとらない。また容器内に仕切りをつけて別々のものを入れて使用することを考えた。
【課題を解決するための手段】
【０００４】
考案者はこの二口容器について、外形をハート型にすることによって、外観もよく親しみやすくなり、このハート型（１）の二つの頂部に注ぎ口（２），（２）を設けることとした。そしてハート型では安定に欠けるため下部に台座（３）を設けて安定を図ることとする。
【０００５】
また、このハート型容器（１）には内部に仕切り壁（４）を設けて、別々の容器物を封入することも可能にすることによって利用の範囲は広くなる。
【考案の効果】
【０００６】
本考案の二口付き容器は、内部に仕切り壁（４）のない容器はそれなりに二人で注ぎつ注がれつ酒を呑み交わし、仕切り壁（４）のある容器では、二本の容器を置くことなく一本ですむため場所をとらずに便利に使用することができ、しかも容器（１）の外観がハート型のため容器自体が親しみやすく、この使用上の効果は特に顕著である。
【実施例】
【０００７】
添付図面により本考案を説明すると、図１は本考案の二口付き容器の外観を示す正面図であり、図２は容器（１）の内部に仕切り壁（４）を設けた請求項２に記載の実施例を示す図１Ｘ−Ｘ断面図である。
【０００８】
容器（１）の外観はハート型に形成されていて、このハート型の２つの頂点に注ぎ口（２），（２）を設ける。またハート型自体では不安定なため下部に台座（３）を設けて容器の安定を図る。
【０００９】
図２は図１のＸ−Ｘ断面図であるが、この図は容器（１）の中に仕切り壁（４）を設けた請求項２の実施例を示している。この図の場合は２種類の異った物体を入れることができるため便利に使用できる。図中の符号（２１）は空間を示している。
【産業上の利用可能性】
【００１０】
上述のように本考案の二口付き容器は、外観がハート型で可愛いため、女性に好まれ、酒の容器として２種類の酒が楽しめ、しかもテーブルの場所をとることも少なくて便利であるためその利用範囲は広い。
【図面の簡単な説明】
【００１１】
【図１】本考案の正面図
【図２】請求項２の実施例図で図１Ｘ−Ｘ断面図
【符号の説明】
【００１２】
１  容器
２  注ぎ口
３  台座
４  仕切り壁
【図１】
0003142608.tif 000003
【図２】
0003142608.tif 000004